(57)【特許請求の範囲】
【請求項１】
照明装置の光源の明るさと、該明るさで発光するように光源を制御するための送信情報と、該明るさを示す出力情報と、を対応付けて記憶する記憶手段と、
ユーザの操作を受け付ける操作受付手段と、
前記操作受付手段が受け付けた操作に対応する明るさを特定し、特定した明るさに対応する送信情報と出力情報とを前記記憶手段から読み出す読み出し手段と、
前記読み出し手段が読み出した前記送信情報を送信する送信手段と、
前記読み出し手段が読み出した前記出力情報を出力する出力手段と、
を備え、
前記読み出し手段は、前記操作受付手段がユーザの操作を受け付けている間、変更される光源の明るさを順次特定し、特定した明るさに対応する送信情報と出力情報とを読み出し、
前記送信手段は、前記読み出し手段によって新たに読み出された前記送信情報を送信し、
前記出力手段は、前記読み出し手段によって新たに読み出された前記出力情報を出力する、
ことを特徴とするリモコン装置。
【請求項２】
前記送信手段は、前記操作受付手段がユーザの操作を受け付けている間、前記送信情報を複数回送信する、
ことを特徴とする請求項１に記載のリモコン装置。
【請求項３】
前記明るさを表す光源情報を記憶する光源情報記憶手段をさらに備え、
前記読み出し手段は、前記操作受付手段が受け付けた操作に応答して、前記光源情報記憶手段に記憶されている前記光源情報により特定される明るさと所定の関係にある明るさに対応する送信情報と出力情報とを前記記憶手段から読み出す、
ことを特徴とする請求項１又は２に記載のリモコン装置。
【請求項４】
前記操作受付手段による受付が終了したことに応答して、前記読み出し手段が最後に特定した明るさを表す情報を前記光源情報として前記光源情報記憶手段に記憶する、
ことを特徴とする請求項３に記載のリモコン装置。
【請求項５】
前記明るさは、一定の幅を有する範囲で表される、
ことを特徴とする請求項１乃至４の何れか１項に記載のリモコン装置。
【請求項６】
前記明るさは、最大発光強度に対する発光強度の割合で表される、
ことを特徴とする請求項１乃至５の何れか１項に記載のリモコン装置。
【請求項７】
前記出力手段は、表示装置を備え、前記読み出し手段によって新たに読み出された前記出力情報を前記表示装置に表示する、
ことを特徴とする請求項１乃至６の何れか１項に記載のリモコン装置。
【請求項８】
照明装置の光源の明るさを指示する信号を第１の外部装置から受信する受信手段と、
前記光源の現在の明るさを表す光源情報を記憶する光源情報記憶手段と、
明るさの変化量と前記光源の制御に用いられる制御データとを対応付けて記憶する制御情報記憶手段と、
前記受信手段で受信した信号が指示する明るさと前記光源情報が示す明るさとの差に対応付けられた前記制御データを前記制御情報記憶手段から読み出し、読み出した前記制御データを用いて前記光源の明るさを調節する調節手段と、
前記調節手段により調節された後の光源の明るさを示す情報を前記第１の外部装置以外の第２の外部装置に送信する送信手段と、
を備えることを特徴とする照明装置。
【請求項９】
前記調節手段は、前記光源情報記憶手段に記憶されている前記光源情報を、調節後の前記光源の明るさを示す光源情報に更新する、
ことを特徴とする請求項８に記載の照明装置。
【請求項１０】
照明装置と、前記照明装置の光源の明るさを遠隔操作によって調節するリモコン装置とを備える照明システムであって、
前記リモコン装置は、
前記照明装置の光源の明るさと、該明るさで発光するように光源を制御するための送信情報と、該明るさを示す出力情報と、を対応付けて記憶する記憶手段と、
ユーザの操作を受け付ける操作受付手段と、
前記操作受付手段が受け付けた操作に対応する明るさを特定し、特定した明るさに対応する送信情報と出力情報とを前記記憶手段から読み出す読み出し手段と、
前記読み出し手段が読み出した前記送信情報を送信する送信手段と、
前記読み出し手段が読み出した前記出力情報を出力する出力手段と、を備え、
前記読み出し手段は、前記操作受付手段がユーザの操作を受け付けている間、変更される光源の明るさを順次特定し、特定した明るさに対応する送信情報と出力情報とを読み出し、
前記送信手段は、前記読み出し手段によって新たに読み出された前記送信情報を送信し、
前記出力手段は、前記読み出し手段によって新たに読み出された前記出力情報を出力し、
前記照明装置は、
前記照明装置の光源の明るさを表す明るさ情報が複数記憶された明るさ情報記憶手段と、
前記明るさ情報記憶手段に記憶された前記複数の明るさ情報のそれぞれに対応し、かつ、送信用の情報である複数の送信情報が記憶された送信情報記憶手段と、
前記送信情報を含む信号をリモコン装置から受信する第１の受信手段と、
前記第１の受信手段が受信した信号に含まれる送信情報と一致する送信情報を前記送信情報記憶手段から読み出し、読み出した送信情報に対応する明るさ情報を前記明るさ情報記憶手段から読み出し、読み出した明るさ情報を基に光源の明るさを調節する調節手段と、を備える、
ことを特徴とする照明システム。
【請求項１１】
前記リモコン装置を複数備え、該リモコン装置は、それぞれ、
前記光源の明るさを表す光源情報を記憶する光源情報記憶手段と、
前記送信情報を受信する第２の受信手段と、
前記第２の受信手段が受信した前記送信情報に基づいて、前記光源情報記憶手段に記憶されている光源情報を更新する更新手段と、をさらに備える、
ことを特徴とする請求項１０に記載の照明システム。
【請求項１２】
照明装置と、前記照明装置の光源の明るさを調節する複数の外部装置を備える照明システムであって、
前記照明装置は、
前記照明装置の光源の明るさを指示する信号を第１の外部装置から受信する受信手段と、
前記光源の現在の明るさを表す光源情報を記憶する光源情報記憶手段と、
明るさの変化量と前記光源の制御に用いられる制御データとを対応付けて記憶する制御情報記憶手段と、
前記受信手段で受信した信号が指示する明るさと前記光源情報が示す明るさとの差を求め、求めた差に対応付けられた前記制御データを前記制御情報記憶手段から読み出し、読み出した前記制御データを用いて前記光源の明るさを調節する調節手段と、
前記調節手段により調節された後の光源の明るさを示す情報を前記第１の外部装置以外の第２の外部装置に送信する送信手段と、
を備え、
前記外部装置は、それぞれ、
前記照明装置に前記光源の明るさを指示する信号を送信する手段と、
前記照明装置に指示した明るさを表す情報を出力する手段と、
前記照明装置の送信手段から送信された明るさを表す情報を出力する出力手段と、を備える、
ことを特徴とする照明システム。
【請求項１３】
照明装置の光源の明るさと、該明るさで発光するように光源を制御するための送信情報と、該明るさを示す出力情報と、を対応付けて記憶する記憶手段を備えるリモコン装置の信号送信方法において、
ユーザの操作を受け付ける操作受付ステップと、
前記操作受付ステップで受け付けられた操作に対応する明るさを特定し、特定した明るさに対応する送信情報と出力情報とを前記記憶手段から読み出す読み出しステップと、
前記読み出しステップで読み出された前記送信情報を送信する送信ステップと、
前記読み出しステップで読み出された前記出力情報を出力する出力ステップと、
を有し、
前記読み出しステップでは、前記操作受付ステップでユーザの操作を受け付けている間、変更される光源の明るさを順次特定し、特定した明るさに対応する送信情報と出力情報とを読み出し、
前記送信ステップでは、前記読み出しステップによって新たに読み出された前記送信情報を送信し、
前記出力ステップでは、前記読み出しステップによって新たに読み出された前記出力情報を出力する、
ことを特徴とする信号送信方法。
【請求項１４】
光源の明るさを指示する信号を第１の外部装置から受信する受信ステップと、
前記受信ステップで受信した信号が指示する明るさと、前記光源の現在の明るさとの差を求め、予め記憶手段に記憶されている明るさの変化量と前記光源の制御に用いられる制御データから、求めた差に対応する制御データを読み出し、読み出した前記制御データを用いて前記光源の明るさを調節する調節ステップと、
前記調節ステップにより調節された後の光源の明るさを示す情報を前記第１の外部装置以外の第２の外部装置に送信するステップと、
を有することを特徴とする照明方法。
【請求項１５】
コンピュータに、
ユーザの操作を受け付ける操作受付ステップと、
前記操作受付ステップで受け付けられた操作に対応する明るさを特定し、特定した明るさに対応する送信情報を記憶手段から読み出す読み出しステップと、
前記読み出しステップで読み出された前記送信情報を送信する送信ステップと、
前記読み出しステップで特定した明るさを示す情報を出力する出力ステップと、
を実行させ、
前記読み出しステップでは、前記操作受付ステップでユーザの操作を受け付けている間、変更される光源の明るさを順次特定し、特定した明るさに対応する送信情報と出力情報とを読み出させ、
前記送信ステップでは、前記読み出しステップで新たに読み出された前記送信情報を送信させ、
前記出力ステップでは、前記読み出しステップで新たに特定された明るさを示す情報を出力させる、
ことを特徴とするプログラム。
【請求項１６】
コンピュータに、
光源の明るさを指示する信号を外部装置から受信する受信ステップと、
前記受信ステップで受信した信号が指示する明るさと、前記光源の現在の明るさとの差を求め、予め記憶手段に記憶されている明るさの変化量と前記光源の制御に用いられる制御データから、求めた差に対応する制御データを読み出し、読み出した前記制御データを用いて前記光源の明るさを調節する調節ステップと、
前記調節ステップにより調節された後の光源の明るさを示す情報を前記外部装置以外の他の外部装置に送信するステップと、
を実行させるプログラム。
【発明の詳細な説明】
【技術分野】
【０００１】
本発明は、リモコン装置、照明装置、照明システム、信号送信方法、照明方法、及びプログラムに関する。
【背景技術】
【０００２】
リモコン装置を用いた調光技術（照明装置の光源の明るさを遠隔操作によって調節する技術）が、特許文献１に開示されている。特許文献１に開示されているリモコン装置は、操作ボタンが押下されると、押下時間に従って、段階調光機能と連続調光機能とを切り替える。【０００３】
段階調光機能は、照明装置の光源の明るさを段階的に調節する機能である。一方、連続調光機能は、照明装置の光源の明るさを連続的に調節する機能である。
【先行技術文献】
【特許文献】
【０００４】
【特許文献１】特開２００８−７１５２１号公報
【発明の概要】
【発明が解決しようとする課題】
【０００５】
上記のリモコン装置を用いて照明装置の明るさ（発光強度）を調整する場合、ユーザは、リモコン装置を操作し、体感上の明るさが希望の明るさになるまで照明装置の明るさを調整する。このように、特許文献１に開示されているリモコン装置では、体感照度に基づく明るさの調整は可能であるが、照明装置の光源の明るさの度合いを客観的に把握しながら、明るさを調節することができない。【０００６】
本発明は、このような問題に鑑みてなされたものであり、ユーザが照明装置の光源の明るさの度合いを客観的に把握しながら照明装置の光源の明るさを調節できるリモコン装置、照明装置、照明システム、信号送信方法、照明方法、及びプログラムを提供することを目的とする。
【課題を解決するための手段】
【０００７】
本発明の第１の観点に係るリモコン装置は、
照明装置の光源の明るさと、該明るさで発光するように光源を制御するための送信情報と、該明るさを示す出力情報と、を対応付けて記憶する記憶手段と、
ユーザの操作を受け付ける操作受付手段と、
前記操作受付手段が受け付けた操作に対応する明るさを特定し、特定した明るさに対応する送信情報と出力情報とを前記記憶手段から読み出す読み出し手段と、
前記読み出し手段が読み出した前記送信情報を送信する送信手段と、
前記読み出し手段が読み出した前記出力情報を出力する出力手段と、
を備え、
前記読み出し手段は、前記操作受付手段がユーザの操作を受け付けている間、変更される光源の明るさを順次特定し、特定した明るさに対応する送信情報と出力情報とを読み出し、
前記送信手段は、前記読み出し手段によって新たに読み出された前記送信情報を送信し、
前記出力手段は、前記読み出し手段によって新たに読み出された前記出力情報を出力する、
ことを特徴とする。
【０００８】
本発明の第２の観点に係る照明装置は、
照明装置の光源の明るさを指示する信号を第１の外部装置から受信する受信手段と、
前記光源の現在の明るさを表す光源情報を記憶する光源情報記憶手段と、
明るさの変化量と前記光源の制御に用いられる制御データとを対応付けて記憶する制御情報記憶手段と、
前記受信手段で受信した信号が指示する明るさと前記光源情報が示す明るさとの差に対応付けられた前記制御データを前記制御情報記憶手段から読み出し、読み出した前記制御データを用いて前記光源の明るさを調節する調節手段と、
前記調節手段により調節された後の光源の明るさを示す情報を前記第１の外部装置以外の第２の外部装置に送信する送信手段と、
を備えることを特徴とする。
【０００９】
本発明の第３の観点に係る照明システムは、
照明装置と、前記照明装置の光源の明るさを遠隔操作によって調節するリモコン装置とを備える照明システムであって、
前記リモコン装置は、
前記照明装置の光源の明るさと、該明るさで発光するように光源を制御するための送信情報と、該明るさを示す出力情報と、を対応付けて記憶する記憶手段と、
ユーザの操作を受け付ける操作受付手段と、
前記操作受付手段が受け付けた操作に対応する明るさを特定し、特定した明るさに対応する送信情報と出力情報とを前記記憶手段から読み出す読み出し手段と、
前記読み出し手段が読み出した前記送信情報を送信する送信手段と、
前記読み出し手段が読み出した前記出力情報を出力する出力手段と、を備え、
前記読み出し手段は、前記操作受付手段がユーザの操作を受け付けている間、変更される光源の明るさを順次特定し、特定した明るさに対応する送信情報と出力情報とを読み出し、
前記送信手段は、前記読み出し手段によって新たに読み出された前記送信情報を送信し、
前記出力手段は、前記読み出し手段によって新たに読み出された前記出力情報を出力し、
前記照明装置は、
前記照明装置の光源の明るさを表す明るさ情報が複数記憶された明るさ情報記憶手段と、
前記明るさ情報記憶手段に記憶された前記複数の明るさ情報のそれぞれに対応し、かつ、送信用の情報である複数の送信情報が記憶された送信情報記憶手段と、
前記送信情報を含む信号をリモコン装置から受信する第１の受信手段と、
前記第１の受信手段が受信した信号に含まれる送信情報と一致する送信情報を前記送信情報記憶手段から読み出し、読み出した送信情報に対応する明るさ情報を前記明るさ情報記憶手段から読み出し、読み出した明るさ情報を基に光源の明るさを調節する調節手段と、を備える、
ことを特徴とする。
【００１０】
本発明の第４の観点に係る照明システムは、
照明装置と、前記照明装置の光源の明るさを調節する複数の外部装置を備える照明システムであって、
前記照明装置は、
前記照明装置の光源の明るさを指示する信号を第１の外部装置から受信する受信手段と、
前記光源の現在の明るさを表す光源情報を記憶する光源情報記憶手段と、
明るさの変化量と前記光源の制御に用いられる制御データとを対応付けて記憶する制御情報記憶手段と、
前記受信手段で受信した信号が指示する明るさと前記光源情報が示す明るさとの差を求め、求めた差に対応付けられた前記制御データを前記制御情報記憶手段から読み出し、読み出した前記制御データを用いて前記光源の明るさを調節する調節手段と、
前記調節手段により調節された後の光源の明るさを示す情報を前記第１の外部装置以外の第２の外部装置に送信する送信手段と、
を備え、
前記外部装置は、それぞれ、
前記照明装置に前記光源の明るさを指示する信号を送信する手段と、
前記照明装置に指示した明るさを表す情報を出力する手段と、
前記照明装置の送信手段から送信された明るさ表す情報を出力する出力手段と、を備える、
ことを特徴とする。
【００１１】
本発明の第５の観点に係る信号送信方法は、
照明装置の光源の明るさと、該明るさで発光するように光源を制御するための送信情報と、該明るさを示す出力情報と、を対応付けて記憶する記憶手段を備えるリモコン装置の信号送信方法において、
ユーザの操作を受け付ける操作受付ステップと、
前記操作受付ステップで受け付けられた操作に対応する明るさを特定し、特定した明るさに対応する送信情報と出力情報とを前記記憶手段から読み出す読み出しステップと、
前記読み出しステップで読み出された前記送信情報を送信する送信ステップと、
前記読み出しステップで読み出された前記出力情報を出力する出力ステップと、
を有し、
前記読み出しステップでは、前記操作受付ステップでユーザの操作を受け付けている間、変更される光源の明るさを順次特定し、特定した明るさに対応する送信情報と出力情報とを読み出し、
前記送信ステップでは、前記読み出しステップによって新たに読み出された前記送信情報を送信し、
前記出力ステップでは、前記読み出しステップによって新たに読み出された前記出力情報を出力する、
ことを特徴とする。
【００１２】
本発明の第６の観点に係る照明方法は、
光源の明るさを指示する信号を第１の外部装置から受信する受信ステップと、
前記受信ステップで受信した信号が指示する明るさと、前記光源の現在の明るさとの差を求め、予め記憶手段に記憶されている明るさの変化量と前記光源の制御に用いられる制御データから、求めた差に対応する制御データを読み出し、読み出した前記制御データを用いて前記光源の明るさを調節する調節ステップと、
前記調節ステップにより調節された後の光源の明るさを示す情報を前記第１の外部装置以外の第２の外部装置に送信するステップと、
を有することを特徴とする。
【００１３】
本発明の第７の観点に係るプログラムは、
コンピュータに、
ユーザの操作を受け付ける操作受付ステップと、
前記操作受付ステップで受け付けられた操作に対応する明るさを特定し、特定した明るさに対応する送信情報を記憶手段から読み出す読み出しステップと、
前記読み出しステップで読み出された前記送信情報を送信する送信ステップと、
前記読み出しステップで特定した明るさを示す情報を出力する出力ステップと、
を実行させ、
前記読み出しステップでは、前記操作受付ステップでユーザの操作を受け付けている間、変更される光源の明るさを順次特定し、特定した明るさに対応する送信情報と出力情報とを読み出させ、
前記送信ステップでは、前記読み出しステップで新たに読み出された前記送信情報を送信させ、
前記出力ステップでは、前記読み出しステップで新たに特定された明るさを示す情報を出力させる、
ことを特徴とする。
本発明の第８の観点に係るプログラムは、
コンピュータに、
光源の明るさを指示する信号を外部装置から受信する受信ステップと、
前記受信ステップで受信した信号が指示する明るさと、前記光源の現在の明るさとの差を求め、予め記憶手段に記憶されている明るさの変化量と前記光源の制御に用いられる制御データから、求めた差に対応する制御データを読み出し、読み出した前記制御データを用いて前記光源の明るさを調節する調節ステップと、
前記調節ステップにより調節された後の光源の明るさを示す情報を前記外部装置以外の他の外部装置に送信するステップと、
を実行させる。
【図面の簡単な説明】
【００１５】
【図１】本発明の一実施形態に係る照明システムの構成を示す図である。
【図２】本発明の一実施形態に係るリモコン装置の機能的な構成を示すブロック図である。
【図３】図２のリモコン装置の明るさレベル情報記憶部に記憶された明るさレベル情報、送信情報記憶部に記憶された送信情報、及び、出力情報記憶部に記憶された出力情報の対応関係を示す図である。
【図４】図２のリモコン装置の光源情報記憶部に記憶された光源情報を示す図である。
【図５】本発明の一実施形態に係る照明装置の機能的な構成を示すブロック図である。
【図６】図５の照明装置の明るさレベル情報記憶部に記憶された明るさレベル情報、及び、送信情報記憶部に記憶された送信情報の対応関係を示す図である。
【図７】図５の照明装置の光源情報記憶部に記憶された光源情報を示す図である。
【図８】図５の照明装置の制御情報記憶部に記憶された明るさレベルの変化量と制御データとの対応関係を示す図である。
【図９】本発明の一実施形態に係るリモコン装置が行う信号送信処理のフローである。
【図１０】図９の信号送信処理に含まれるダウン調光処理のフローである。
【図１１】図９の信号送信処理に含まれるアップ調光処理のフローである。
【図１２】本発明の一実施形態に係る照明装置が行う調光処理のフローである。
【図１３】本発明の一実施形態に係るリモコン装置でダウン調光の操作がされた時のリモコン装置及び照明装置の状態を時系列で示す図である。
【図１４】本発明の変形例に係る制御情報記憶部に記憶された制御情報を示す図である。
【発明を実施するための形態】
【００１６】
以下、本発明の実施形態について図面を参照して説明する。
【００１７】
照明システム１は、図１に示すように、リモコン装置１０と照明装置２０とを備える。
【００１８】
リモコン装置１０は、照明装置用のリモコン装置である。リモコン装置１０は、家屋等に設置される照明装置２０を遠隔操作するために用いられる。
【００１９】
リモコン装置１０は、図２に示すように、制御部１１と、記憶部１２と、操作部１３と、表示部１４と、送信部１５とを備える。
【００２０】
制御部１１は、リモコン装置１０の動作を制御する。制御部１１は、ＣＰＵ(Central Processing Unit)、ＣＰＵのメインメモリとして機能するＲＡＭ（Random Access Memory）、タイマ等を備える。なお、制御部１１は、一部がＡＳＩＣ（Application Specific Integrated Circuit）等の専用回路によって構成されてもよい。
【００２１】
また、制御部１１は、機能的に、明るさレベル情報読み出し部１１ａと、送信情報読み出し部１１ｂと、出力情報読み出し部１１ｃと、送信制御部１１ｄと、出力制御部１１ｅとを備える。各部１１ａ〜１１ｅの詳細は後述する。また、明るさレベル情報読み出し部１１ａ〜出力制御部１１ｅは、ＣＰＵが、後述するプログラム記憶部１２ａに記憶された「信号送信プログラム」を実行することによって実現される。
【００２２】
明るさレベル情報読み出し部１１ａは、操作部１３に調光の操作が行われたことに応答して、照明装置２０の光源の明るさのレベルを表す明るさレベル情報を読み出す。
【００２３】
送信情報読み出し部１１ｂは、明るさレベル情報１１ａが読み出した明るさレベル情報に対応する送信情報を送信情報記憶部１２ｃから読み出す。
【００２４】
出力情報読み出し部１１ｃは、明るさレベル情報読み出し部１１ａが読み出した明るさレベル情報に対応する出力情報（画像データ等）を出力情報読み出し部１２ｄから読み出す。
【００２５】
送信制御部１１ｄが、送信情報読み出し部１１ｂが読み出した送信情報を含む赤外線信号を生成するとともに、送信部１５を介して、照明装置２０に送信する制御を行う。
【００２６】
出力制御部１１ｅは、出力情報読み出し部１１ｃが読み出した出力情報を表示部１４に出力する制御を行う。
【００２７】
記憶部１２は、制御部１１が各種処理を行うために使用する各種プログラム及びデータ、制御部１１が各種処理を行うことにより取得された各種データを記憶する。記憶部１２は、例えば、ＲＡＭ(Random Access Memory)とフラッシュメモリ等の不揮発性メモリとから構成される。
【００２８】
記憶部１２は、機能的に、プログラム記憶部１２ａと、明るさレベル情報記憶部１２ｂと、送信情報記憶部１２ｃと、出力情報記憶部１２ｄと、光源情報記憶部１２ｅとを備える。
【００２９】
プログラム記憶部１２ａは、上記の「信号送信プログラム」等の各種プログラムを記憶する。信号送信プログラムは、リモコン装置１０が信号送信処理（リモコン装置１０が、照明装置２０の光源の明るさを調節するための信号を照明装置２０に送信する処理）を実行するために、リモコン装置１０のＣＰＵによって実行されるプログラムである。また、信号送信プログラムは、リモコン装置１０の電源がオンになったときにＣＰＵ（制御部１１の一部）によってプログラム記憶部１２ａから読み出され、電源がオンになった時点から電源がオフになるまで実行される。
【００３０】
明るさレベル情報記憶部１２ｂは、照明装置２０の光源の明るさのレベルを表す明るさレベル情報を記憶している。
【００３１】
明るさレベル情報は、照明装置２０の光源の明るさを表す情報である。明るさレベルは、レベル値（レベル１、レベル２等）によって表現される。また、明るさレベルは、それぞれ、ある「明るさ範囲」に対応している。「明るさ範囲」は、それぞれ、照明装置２０の最大の出力（明るさ：発光強度）に対する割合の範囲を示す。
【００３２】
例えば、「明るさ範囲」によって示される割合の範囲が、それぞれ、１０％であるとすると、明るさレベル情報記憶部１２ｂには、図３に示すように、１０個の明るさレベル情報が、それぞれ、「明るさ範囲」に対応付けられて記憶される。
【００３３】
送信情報記憶部１２ｃは、複数の送信情報を記憶している。送信情報は、明るさレベル情報のレベル値に対応する。また、送信情報は、明るさレベル情報のレベル値を複数ビット（例えば４ビット）で表現したビットデータである。
【００３４】
例えば、図３に示すように、明るさレベル情報記憶部１２ｂに１０個の明るさレベル情報が記憶されている場合、送信情報記憶部１２ｃには、１０個の明るさレベルに対応する１０個の送信情報が記憶される。各送信情報は、４ビットのビットデータから構成される。
【００３５】
出力情報記憶部１２ｄは、明るさレベル情報のレベル値に対応する複数の出力情報を記憶している。出力情報は、明るさレベル情報のレベル値が数字や図形等の画像で表現された画像データである。
【００３６】
例えば、図３に示すように、明るさレベル情報記憶部１２ｂに１０個の明るさレベル情報が記憶されている場合、出力情報記憶部１２ｄには、１０個の明るさレベル情報のそれぞれのレベル値に対応する１０個の画像データが記憶される。
【００３７】
画像データとして、例えば数字を表す画像データを用いる場合、数字「１〜１０」を表す画像データがレベル値「１〜１０」の明るさレベル情報に対応付けられる。
【００３８】
光源情報記憶部１２ｅは、照明装置２０の光源の明るさとして最後に設定された明るさレベル情報を光源情報として記憶している。
【００３９】
例えば、照明装置２０の光源の明るさとして最後に設定された明るさレベル情報が「レベル８」であった場合、光源情報記憶部１２ｅは、図４に示すように、「レベル８」を光源情報として記憶する。
【００４０】
なお、明るさレベル情報記憶部１２ｂ、送信情報記憶部１２ｃ、出力情報記憶部１２ｄは、図３に示すように、一つのテーブルに纏められて記憶されていてもよいし、それぞれ別個に記憶されていてもよい。
【００４１】
操作部１３は、ユーザの各種操作（照明装置２０の光源の明るさを調節する操作を含む）を受け付ける。また、操作部１３は、受け付けた各種操作にそれぞれ対応する操作信号を制御部１１（明るさレベル情報読み出し部１１ａを含む）に供給する。
【００４２】
操作部１３は、複数の操作ボタンを含むユーザインタフェースを備える。複数の操作ボタンは、具体的には、照明装置２０の光源の明るさを暗くするダウン調光ボタン、照明装置２０の光源の明るさを明るくするアップ調光ボタン、照明装置２０の光源を１００％の明るさで点灯する全灯ボタン、照明装置２０を消灯する消灯ボタン、設定された時間が経過した後に照明装置２０を消灯するスリープタイマボタン等である。
【００４３】
表示部１４は、制御部１１（出力制御部１１ｅを含む）の制御のもと、制御部１１から供給される各種画像データ等に基づいて各種画像を画面に表示する。表示部１４は、液晶表示装置、有機ＥＬ(Electro Luminescence)表示装置等を備える。
【００４４】
なお、操作部１３と表示部１４とは、タッチパネルディスプレイから構成されても良い。タッチパネルディスプレイは、所定の操作を受け付ける画面を表示すると共に、画面にユーザが接触した位置に対応する操作信号を制御部１１（明るさレベル情報読み出し部１１ａを含む）に供給する。
【００４５】
送信部１５は、制御部１１（送信制御部１１ｄを含む）の制御のもと、制御部１１から供給される送信情報（ビットデータ）を含む赤外線信号を生成する。また、送信部１５は、生成した赤外線信号を照明装置２０に所定の周期（例えば、１０８ｍｓ）で複数回送信する。
【００４６】
具体的には、送信部１５は、フレーム時間が１０８ｍｓの送信情報を含んだ通信フレーム（ベースバンド信号）を生成するベースバンド処理部、ベースバンド処理部によって生成された通信フレームを用いて所定の変調方式に従って赤外線変調を行う変調処理部、変調処理部によって赤外線変調された送信用の赤外線信号を送信する赤外線送信部等を備える。
【００４７】
図１に戻り、照明装置２０は、リモコン装置１０から送信された赤外線信号を受信し、受信した赤外線信号に含まれる送信情報を基に、照明装置２０に記憶されている制御情報を用いて光源の明るさを調節する装置である。
【００４８】
照明装置２０は、図５に示すように、記憶部２２と、制御部２１と光源駆動部２３と、光源２４と、受信部２５とを備える。
【００４９】
制御部２１は、照明装置２０の動作を制御する。制御部２１は、物理的には、例えば、ＣＰＵ、ＲＡＭ、タイマ等を備える。なお、制御部２１は、一部がＡＳＩＣ等の専用回路によって構成されてもよい。
【００５０】
また、制御部２１は、機能的に、光源制御部２１ａを備える。光源制御部２１ａは、ＣＰＵが、後述するプログラム記憶部２２ａに記憶された「調光プログラム」を実行することによって実現される。光源制御部２１ａは、リモコン装置１０から送信された赤外線信号に含まれる送信情報を受信し、受信した送信情報を基に、制御情報記憶部２２ｅから制御情報を読み出して光源２４の照明を行う。
【００５１】
記憶部２２は、制御部２１が各種処理を行うために使用する各種プログラム及びデータ、制御部２１が各種処理を行うことにより取得された各種データを記憶する。記憶部２２は、例えば、フラッシュメモリ等の不揮発性メモリによって構成される。
【００５２】
また、記憶部２２は、プログラム記憶部２２ａと、明るさレベル情報記憶部２２ｂと、送信情報記憶部２２ｃと、制御情報記憶部２２ｄと、光源情報記憶部２２ｅとを備える。
【００５３】
プログラム記憶部２２ａは、上記の「調光プログラム」等の各種プログラムを記憶する。調光プログラムは、照明装置２０が調光処理（照明装置２０の光源の明るさを制御する処理）を実行するために、照明装置２０のＣＰＵによって実行されるプログラムである。また、調光プログラムは、照明装置２０の電源がオンになったときに、ＣＰＵ（制御部２１）によってプログラム記憶部２２ａから読み出され、電源がオンになった時点から電源がオフになるまで実行される。
【００５４】
明るさレベル情報記憶部２２ｂは、図６に示すように、照明装置２０の光源の明るさのレベルを表す明るさレベル情報を複数記憶している。
【００５５】
送信情報記憶部２２ｃは、図示するように、複数の送信情報を記憶している。送信情報は、明るさレベル情報記憶部２２ｂが記憶する明るさレベル情報のレベル値に対応する。
【００５６】
光源情報記憶部２２ｄは、図７に示すように、最後に設定された明るさレベル情報を光源情報として記憶している。
【００５７】
制御情報記憶部２２ｅは、図８に示すように、明るさレベル情報を表すレベル値の変化量と後述する光源２４の制御に用いられる制御データとを互いに対応付けた制御情報を複数（ここでは２つ）記憶している。
【００５８】
光源駆動部２３は光源２４を駆動する装置である。光源駆動部２３の調光の方式には、任意のもの（例えば、ＰＷＭ（Pulse Width Modulation）方式、位相制御調光方式）を適用可能である。光源駆動部２３の調光の方式として、ＰＷＭ方式を適用する場合、光源駆動部２３はインバータ回路によって構成される。一方、光源駆動部２３の調光の方式として位相制御調光方式を適用する場合、光源駆動部２３はスイッチ回路によって構成される。
【００５９】
光源２４は、照明装置２０の光源であり、光源駆動部２３によって駆動される。調光の方式としてＰＷＭ調光方式を適用する場合、光源２４は蛍光灯やＬＥＤ（Light Emitting Diode）電球等を備える。一方、調光の方式として位相制御調光方式を適用する場合、光源２４は白熱灯やＬＥＤ電球等を備える。
【００６０】
受信部２５は、制御部２１（光源制御部２１ａを含む）の制御のもと、リモコン装置１０から光源２４の明るさを調節するための赤外線信号を受信し、受信した赤外線信号に含まれる送信情報（ビットデータ）を抽出する。また、受信部２５は、抽出した送信情報を光源制御部２１ａに供給する。
【００６１】
受信部２５は、リモコン装置１０から送信された赤外線信号を受信して増幅する赤外線受信部、赤外線受信部によって増幅された信号をリモコン装置１０で用いた所定の変調方式に従って復調を行う復調処理部、復調処理部によって復調された信号から通信フレームを抽出し、抽出した通信フレームのデータ部に含まれている送信情報（ビットデータ）を光源制御部２１ａに供給するベースバンド処理部等を備える。
【００６２】
次に、信号送信処理（リモコン装置１０が、照明装置２０の光源の明るさを調節するための信号を、照明装置２０に送信する処理）を、図９を参照して説明する。
【００６３】
リモコン装置１０の制御部１１（ＣＰＵ）は、リモコン装置１０の電源がオンになったときに、プログラム記憶部１２ａに記憶された「信号送信プログラム」を読み出して実行する。
【００６４】
最初に、操作部１３を用いて調光の操作が行われると、明るさレベル情報読み出し部１１ａは、光源情報記憶部１２ｅに記憶された光源情報（明るさレベル情報）を読み出す（ステップＳ１１）。
【００６５】
出力情報読み出し部１１ｃは、明るさレベル情報読み出し部１１ａが読み出した明るさレベル情報（レベル値）に対応する画像データを出力情報記憶部１２ｄから読み出す。出力制御部１１ｅは、出力情報読み出し部１１ｃが読み出した画像データを表示部１４に出力する制御を行う。表示部１４には、出力情報読み出し部１１ｃによって読み出された画像データにより表される画像が表示される（ステップＳ１２）。
【００６６】
これにより、ユーザは、表示部１４の画面に表示される画像を視認して、照明装置２０の光源の明るさのレベルを把握できる。例えば、光源情報記憶部１２ｅに「レベル８」の光源情報が記憶されていた場合、表示部１４の画面には、数字や図形等によって光源２４の明るさが「レベル８」であることを表す画像が表示される。
【００６７】
続いて、明るさレベル情報読み出し部１１ａは、操作部１３に備えられているダウン調光ボタンまたはアップ調光ボタンが操作（押し下げ）されるまで、ユーザによる操作部１３の操作を待機する待機状態を維持する（ステップＳ１３；ＮＯ、ステップＳ１４；ＮＯ）。
【００６８】
ユーザによってダウン調光ボタンが押し下げられた場合（ステップＳ１３；ＹＥＳ）、明るさレベル情報読み出し部１１ａは、図１０に示すダウン調光処理を実行する（ステップＳ１５）。
【００６９】
ダウン調光処理は、ユーザによってダウン調光ボタンの押し下げが終了したときに終了する。ダウン調光処理が終了した後、明るさレベル情報読み出し部１１ａは、次にダウン調光ボタンまたはアップ調光ボタンが押し下げられるまで待機状態を維持する（ステップＳ１３、Ｓ１４）。
【００７０】
一方、ユーザによってアップ調光ボタンが押し下げられた場合、明るさレベル情報読み出し部１１ａは、アップ調光ボタンが操作されたと判別する（ステップＳ１４；ＹＥＳ）。この場合、明るさレベル情報読み出し部１１ａは、図１１に示すアップ調光処理を実行する（ステップＳ１６）。
【００７１】
アップ調光処理も、ダウン調光処理と同様、ユーザによってアップ調光ボタンの押し下げが終了したときに終了する。アップ調光処理が終了した後、明るさレベル情報読み出し部１１ａは、次にダウン調光ボタンまたはアップ調光ボタンが押し下げられるまで待機状態を維持する（ステップＳ１３、Ｓ１４）。
【００７２】
次に、図９に示したステップＳ１５のダウン調光処理が実行されたときの、リモコン装置１０の動作について、図１０を参照して説明する。
【００７３】
明るさレベル情報読み出し部１１ａは、図９のステップＳ１１で読み出したレベル値が最小値であるか否かを判別する（ステップＳ１５１）。
【００７４】
明るさレベル情報読み出し部１１ａは、ステップＳ１１で読み出したレベル値が最小値であると判別した場合（ステップＳ１５１；ＹＥＳ）、ステップＳ１５５に進む。
【００７５】
例えば、図６に示すように、最小のレベル値が「１」であるとする。この場合、明るさレベル情報読み出し部１１ａは、ステップＳ１１で読み出した光源情報（明るさレベル情報）が「レベル１」であるときに、明るさのレベルが最小であると判別する。
【００７６】
一方、明るさレベル情報読み出し部１１ａは、ステップＳ１１で読み出したレベル値が最小値でないと判別した場合（ステップＳ１５１；ＮＯ）、現在の明るさレベル情報と所定の関係（ここでは例えば、現在よりも１段階低い関係）にある明るさレベル情報を、明るさレベル情報記憶部１２ｂから読み出す（ステップＳ１５２）。
【００７７】
例えば、明るさレベル情報読み出し部１１ａによって図９のステップＳ１１で読み出された明るさレベル情報が「レベル１０」の場合、明るさレベル情報読み出し部１１ａは、このレベルよりも１段階低い明るさレベル情報「レベル９」を、明るさレベル情報記憶部１２ｂから読み出す。
【００７８】
続いて、出力情報読み出し部１１ｃは、ステップＳ１５２で明るさレベル情報読み出し部１１ａが読み出した明るさレベル情報に対応する画像データを出力情報記憶部１２ｄから読み出す。出力制御部１１ｅは、出力情報読み出し部１１ｃが読み出した画像データを表示部１４に出力するように制御する。表示部１４の画面には、画像データにより表される画像が表示される（ステップＳ１５３）。
【００７９】
例えば、ステップＳ１５２で読み出した明るさレベル情報が「レベル９」の場合、出力情報読み出し部１１ｃは、図３に示した、出力情報記憶部１２ｄに記憶された１０個の画像データから「画像データ９」を読み出す。また、出力制御部１１ｅは、この画像データを表示部１４に出力するように制御する。表示部１４の画面には、数字や図形等によって光源２４の明るさが「レベル９」であることを表す画像が表示される。
【００８０】
送信情報読み出し部１１ｂは、ステップＳ１５２で明るさレベル情報読み出し部１１ａが読み出した明るさレベル情報に対応するビットデータ（送信情報）を送信情報記憶部１２ｃから読み出す。送信制御部１１ｄは、送信情報読み出し部１１ｃが読み出したビットデータを含む赤外線信号を、送信部１５を介して、照明装置２０に送信するように制御する（ステップＳ１５４）。また、送信制御部１１ｄは、送信部１５が同じ送信情報を連続して送信した回数をカウントする。
【００８１】
送信部１５は、送信制御部１１ｄの制御のもと、送信制御部１１ｄから供給されるビットデータを含む赤外線信号を生成し、生成した赤外線信号を照明装置２０に送信する。具体的には、送信部１５は、フレーム時間が１０８ｍｓの送信情報を含んだ通信フレーム（ベースバンド信号）を生成し、変調処理を行って得られる赤外線信号を照明装置２０に送信する。
【００８２】
なお、上記ステップＳ１５１において、明るさレベル情報読み出し部１１ａによって、明るさのレベルが最小であると判別された場合（ステップＳ１５１；ＹＥＳ）、上記ステップＳ１５４の処理は行われない（信号は送信されない）。
【００８３】
その後、送信制御部１１ｄは、ダウン調光ボタンの押し下げが終了したか（連続的に押下されているか）否かを判別する（ステップＳ１５５）。ダウン調光ボタンの押し下げが終了したか否かの判別は、操作部１３から供給される操作信号の有無に基づいて行われる。
【００８４】
送信制御部１１ｄは、ダウン調光ボタンの押し下げが終了していないと判別した場合（ステップＳ１５５；ＮＯ）、ステップＳ１５４でカウントした回数（同じ送信情報を連続して送信した回数）が所定の閾値を超えたか否かを判別する（ステップＳ１５６）。
【００８５】
所定の閾値は任意に設定することが可能であり、例えば、最初に明るさレベルを下げるまでは４回、それ以降は３回というように設定することが可能である。送信制御部１１ｃは、設定されている所定の閾値に基づいて、上記ステップＳ１５６の判別を行う。
【００８６】
送信制御部１１ｄは、ステップＳ１５４でカウントした回数が所定の閾値を超えていないと判別した場合（ステップＳ１５６；ＮＯ）、ステップＳ１５４に戻り、再度、同じビットデータを含んだ赤外線信号を送信するように制御する（ステップＳ１５４）。
【００８７】
つまり、ダウン調光ボタンが押し下げされている状態で、この判別がされた場合は、この判別がされる直前に送信された送信情報と同じ送信情報を含んだ赤外線信号が、周期的に、照明装置２０に複数回送信される。なお、ここでは、赤外線信号の送信周期は、通信フレームの時間（１０８ｍｓ）と同じ時間であるものとする。
【００８８】
一方、送信制御部１１ｄは、ステップＳ１５４でカウントした回数が所定の閾値を超えていると判別した場合（ステップＳ１５６；ＹＥＳ）、ステップＳ１５１に戻り、上記と同様の処理を行う。
【００８９】
上記のステップＳ１５２で読み出されたレベル値が最小値でなければ（ステップＳ１５１；ＮＯ）、再度、ステップＳ１５２乃至Ｓ１５４の処理が行われる。
【００９０】
つまり、ステップＳ１５６での判別結果がＹＥＳであり、先に読み出されたレベル値が最小値でない場合は、表示部１４には、先に表示されていた画像により表されるレベル値よりも１段階下がったレベル値を表す新たな画像が表示される。また、送信部１５からは、先に送信されていた赤外線信号に含まれるビットデータにより表されるレベル値よりも１段階下がったレベル値を表す新たなビットデータを含んだ赤外線信号が送信される。
【００９１】
このようにして、ダウン調光ボタンの押し下げが終了したと送信制御部１１ｃによって判別されるまでは（ステップＳ１５５；ＹＥＳ）、明るさレベル情報読み出し部１１ａ、送信情報読み出し部１１ｂ、出力情報読み出し部１１ｃ、送信制御部１１ｄ、及び出力制御部１１ｅによって、上記ステップＳ１５１乃至Ｓ１５６の処理が繰り返し行われる。
【００９２】
例えば、ダウン調光ボタンが単発的に押される等、ダウン調光ボタンが押されてから一定時間（最初に読み出したビットデータを含んだ赤外線信号が連続して送信される時間）経過する前に、ダウン調光ボタンの押し下げが終了した場合は（ステップＳ１５５；ＮＯ）、表示部１４の画面には、数字や図形等によって光源２４の明るさのレベルが１段階だけ下がったレベル値を表す画像が表示され、送信部１５からは、１段階下がったレベル値を表すビットデータを含んだ赤外線信号が送信される。
【００９３】
この場合、照明装置２０の光源２４の明るさのレベルは１段階下げられる。つまり、単発的にダウン調光ボタンの押し下げが繰り返されることにより、照明装置２０の光源の明るさのレベルが段階的に下げられる。
【００９４】
一方、ダウン調光ボタンが押されてから一定時間以上、連続してダウン調光ボタンの押し続けられている場合は（ステップＳ１５５；ＹＥＳ）、一定時間（同じビットデータを含んだ赤外線信号が連続して送信される時間）毎に、表示部１４の画面には、数字や図形等によって光源２４の明るさが１段階下がるレベル値を表す画像が連続的に表示され、送信部１５からは、１段階下がるレベル値を表すビットデータを含んだ赤外線信号が連続的に送信される。
【００９５】
この場合、連続的にダウン調光ボタンの押下げが行われることにより、照明装置２０の光源の明るさのレベルが連続的に下げられる。
【００９６】
そして、送信制御部１１ｃによって、ダウン調光ボタンの押し下げが終了したと判別された場合は（ステップＳ１５５；ＹＥＳ）、明るさレベル情報読み出し部１１ａは、明るさレベル情報記憶部１２ｂから最後に読み出した明るさレベル情報を新たな光源情報として更新し、これを光源情報記憶部１２ｅに格納する（ステップＳ１５７）。
【００９７】
以上により、ダウン調光処理は終了し、明るさレベル情報読み出し部１１ａは、次にダウン調光ボタンまたはアップ調光ボタンが押し下げられるまで待機状態を維持する（図９のステップＳ１３，Ｓ１４）。なお、ステップＳ１５４において、周期的に送信される赤外線信号について、送信制御部１１ｄは、その赤外線信号が送信されている間にダウン調光ボタンの押し下げが終了したと判別した場合でも（ステップＳ１５５；ＮＯ）、その送信中の赤外線信号について照明装置２０に送信する制御を行うものとする。
【００９８】
次に、図９に示したステップＳ１６のアップ調光処理が実行されたときの、リモコン装置１０の動作について、図１１を参照して説明する。
【００９９】
明るさレベル情報読み出し部１１ａは、図９のステップＳ１１で読み出したレベル値が最大値であるか否かを判別する（ステップＳ１６１）。
【０１００】
明るさレベル情報読み出し部１１ａは、ステップＳ１１で読み出したレベル値が最大値であると判別した場合（ステップＳ１６１；ＹＥＳ）、ステップＳ１６５に進む。
【０１０１】
例えば、図６に示すように、最大のレベル値が「１０」であるとする。この場合、明るさレベル情報読み出し部１１ａは、ステップＳ１１で読み出した光源情報（明るさレベル情報）が「レベル１０」であるときに、明るさのレベルが最大であると判別する。
【０１０２】
一方、明るさレベル情報読み出し部１１ａは、ステップＳ１１で読み出したレベル値が最大値でないと判別した場合（ステップＳ１６１：ＮＯ）、現在の明るさレベル情報と所定の関係（ここでは例えば、現在よりも１段階高い関係）にある明るさレベル情報を、明るさレベル情報記憶部１２ｂから読み出す（ステップＳ１６２）。
【０１０３】
例えば、明るさレベル情報読み出し部１１ａによって図９のステップＳ１１で読み出された明るさレベル情報が「レベル６」の場合、明るさレベル情報読み出し部１１ａは、このレベルよりも１段階高い明るさレベル情報「レベル７」を、明るさレベル情報記憶部１２ｂから読み出す。
【０１０４】
続いて、出力情報読み出し部１１ｃは、ステップＳ１６２で明るさレベル情報読み出し部１１ａが読み出した明るさレベル情報に対応する画像データを出力情報記憶部１２ｄから読み出す。出力制御部１１ｅは、出力情報読み出し部１１ｃが読み出した画像データを表示部１４に出力するように制御する。表示部１４の画面には、画像データにより表される画像が表示される（ステップＳ１６３）。
【０１０５】
例えば、ステップＳ１６２で読み出した明るさレベル情報が「レベル７」の場合、出力情報読み出し部１１ｃは、図３に示した、出力情報記憶部１２ｄに記憶された１０個の画像データから「画像データ７」を読み出す。また、出力制御部１１ｅは、この画像データを表示部１４に出力するように制御する。表示部１４の画面には、数字や図形等によって光源２４の明るさが「レベル７」であることを表す画像が表示される。
【０１０６】
送信情報読み出し部１１ｂは、ステップＳ１６２で明るさレベル情報読み出し部１１ａが読み出した明るさレベル情報に対応するビットデータ（送信情報）を送信情報記憶部１２ｃから読み出す。送信制御部１１ｄは、送信情報読み出し部１１ｃが読み出したビットデータを含む赤外線信号を、送信部１５を介して、照明装置２０に送信するように制御する（ステップＳ１６４）。また、送信制御部１１ｄは、送信部１５が同じ送信情報を連続して送信した回数をカウントする。
【０１０７】
送信部１５は、送信制御部１１ｄの制御のもと、送信制御部１１ｄから供給されるビットデータを含む赤外線信号を生成し、生成した赤外線信号を照明装置２０に送信する。
【０１０８】
具体的には、送信部１５は、フレーム時間が１０８ｍｓの送信情報を含んだ通信フレーム（ベースバンド信号）を生成し、変調処理を行って得られる赤外線信号を照明装置２０に送信する。なお、上記ステップＳ１６１において、明るさレベル情報読み出し部１１ａによって、明るさのレベルが最大であると判別された場合（ステップＳ１６１；ＹＥＳ）、上記ステップＳ１６４の処理は行われない（信号が送信されない）。
【０１０９】
その後、送信制御部１１ｄは、アップ調光ボタンの押し下げが終了したか（連続的に押下されているか）否かを判別する（ステップＳ１６５）。アップ調光ボタンの押し下げが終了したか否かの判別は、操作部１３から供給される操作信号の有無に基づいて行われる。
【０１１０】
送信制御部１１ｄは、アップ調光ボタンの押し下げが終了していないと判別した場合（ステップＳ１６５；ＮＯ）、ステップＳ１６４でカウントした回数が所定の閾値を超えたか否かを判別する（ステップＳ１６６）。
【０１１１】
所定の閾値は任意に設定可能であり、例えば、最初に明るさレベルを１段階さげるまでは４回、それ以降は３回というように設定することが可能である。送信制御部１１ｄは、設定されている所定の閾値に基づいて、上記ステップＳ１６６の判別を行う。
【０１１２】
送信制御部１１ｄは、ステップＳ１６４でカウントした回数が所定の閾値を超えていないと判別した場合（ステップＳ１６６；ＮＯ）、ステップＳ１６４に戻り、再度、同じビットデータを含んだ赤外線信号を送信するように制御する（ステップＳ１６４）。
【０１１３】
つまり、アップ調光ボタンが押し下げされている状態で、この判別がされた場合は、この判別がされる直前に送信された送信情報と同じ送信情報を含んだ赤外線信号が、周期的に、照明装置２０に複数回送信される。なお、ここでは、赤外線信号の送信周期は、通信フレームの時間（１０８ｍｓ）と同じ時間であるものとする。
【０１１４】
一方、送信制御部１１ｄは、ステップＳ１６４でカウントした回数が所定の閾値を超えていると判別した場合（ステップＳ１６６；ＹＥＳ）、ステップＳ１６１に戻り、上記と同様の処理を行う。上記のステップＳ１６２で読み出されたレベル値が最大でなければ（ステップＳ１６１；ＮＯ）、再度、ステップＳ１６２乃至Ｓ１６４の処理が行われる。
【０１１５】
つまり、ステップＳ１５６での判別結果がＹＥＳであり、先に読み出されたレベル値が最大値でない場合は、表示部１４には、先に表示されていた画像により表されるレベル値よりも１段階上がったレベル値を表す新たな画像が表示される。また、送信部１５からは、先に送信されていた赤外線信号に含まれるビットデータにより表されるレベル値よりも１段階上がったレベル値を表す新たなビットデータを含んだ赤外線信号が送信される。
【０１１６】
このようにして、送信制御部１１ｄによって、アップ調光ボタンの押し下げが終了したと判別されるまでは（ステップＳ１６５；ＹＥＳ）、上記ステップＳ１６１乃至Ｓ１６６の処理が繰り返し行われる。
【０１１７】
例えば、アップ調光ボタンが単発的に押される等、アップ調光ボタンが押されてから一定時間（最初に読み出したビットデータを含んだ赤外線信号が連続して送信される時間）経過する前に、アップ調光ボタンの押し下げが終了した場合は（ステップＳ１６５；ＮＯ）、表示部１４の画面には、数字や図形等によって光源２４の明るさのレベルが１段階だけ上がったレベル値を表す画像が表示され、送信部１５からは、１段階上がったレベル値を表すビットデータを含んだ赤外線信号が送信される。
【０１１８】
この場合、照明装置２０の光源の明るさは１段階上げられる。つまり、単発的にアップ調光ボタンの押下げが繰り返されることにより、照明装置２０の光源の明るさのレベルが段階的に上げられる。
【０１１９】
一方、アップ調光ボタンが押されてから一定時間以上、連続してアップ調光ボタンが押し続けられている場合は（ステップＳ１６５；ＹＥＳ）、一定時間（同じビットデータを含んだ赤外線信号が連続して送信される時間）毎に、表示部１４の画面には、数字や図形等によって光源２４の明るさが１段階上がるレベル値を表す画像が連続的に表示され、送信部１５からは、１段階上がるレベル値を表すビットデータを含んだ赤外線信号が連続的に送信される。
【０１２０】
この場合、連続的にアップ調光ボタンの押し下げが行われることにより、照明装置２０の光源の明るさのレベルが連続的に上げられる。
【０１２１】
そして、送信制御部１１ｄによって、アップ調光ボタンの押し下げが終了したと判別された場合は（ステップＳ１６５；ＹＥＳ）、明るさレベル情報読み出し部１１ａは、明るさレベル情報記憶部１２ｂから最後に読み出した明るさレベル情報を新たな光源情報として更新し、これを光源情報記憶部１２ｅに格納する（ステップＳ１６７）。
【０１２２】
以上により、アップ調光処理は終了し、明るさレベル情報読み出し部１１ａは、次にダウン調光ボタンまたはアップ調光ボタンが押し下げられるまで待機状態を維持する（図９のステップＳ１３，Ｓ１４）。
【０１２３】
次に、調光処理（照明装置２０が光源２４の明るさを制御する処理）を、図１２を参照して説明する。
【０１２４】
照明装置２０の制御部２１（ＣＰＵ）は、照明装置２０の電源がオンになったときに、前回電源がオフになる直前の点灯状態で光源２４を点灯させ、プログラム記憶部２２ａに記憶された「調光プログラム」を読み出して実行する。
【０１２５】
最初に、光源制御部２１ａは、光源情報記憶部２２ｄに記憶された光源情報（明るさレベル情報）を読み出し（ステップＳ２１）、リモコン装置１０からの赤外線信号を受信したか否かを判別する（ステップＳ２２）。
【０１２６】
光源制御部２１が、リモコン装置１０からの赤外線信号を受信していないと判別すると（ステップＳ２２：ＮＯ）、リモコン装置１０からの赤外線信号を受信するまで、この動作を繰り返す。
【０１２７】
光源制御部２１ａは、リモコン装置１０から赤外線信号を受信したと判別した場合（ステップＳ２２；ＹＥＳ）、受信した赤外線信号に含まれたビットデータ（送信情報）と一致するビットデータを送信情報記憶部２２ｃから読み出す。また、光源制御部２１ａは、読み出したビットデータに対応するレベル値（明るさレベル情報）を明るさレベル情報記憶部２２ｂから読み出す（ステップＳ２３）。
【０１２８】
さらに、光源制御部２１ａは、読み出した明るさレベル情報（レベル値）と、光源情報（レベル値）とが一致しているか否かを判別する（ステップＳ２４）。
【０１２９】
光源制御部２１ａによって、レベル値が互いに一致していないと判別された場合は（ステップＳ２４；ＮＯ）、光源２４の明るさを調節する必要がある。この場合、光源制御部２１ａは、明るさレベル情報と光源情報との間の明るさのレベルの変化量を求める。
【０１３０】
例えば、最初に受信した赤外線信号に「ビットデータ９」が含まれていた場合、ビットデータ９に対応する「レベル９」が読み出される。先に読み出された光源情報が「レベル１０」であるとすると、レベル値は互いに一致していないので、この場合、光源制御部２１ａは、変化量として、例えば、レベル値の差分「−１」を求める。
【０１３１】
光源制御部２１ａは、求めた明るさのレベルの変化量に対応付けられた制御データ（上記の例では「−１」に対応付けられた「制御データ２」）を制御情報記憶部２２ｅから読み出し、読み出した制御データを用いて光源２４の明るさを調節する制御を行う（ステップＳ２５）。
【０１３２】
これにより、光源２４の明るさは、複数のステップで連続的に変化し、ビットデータに対応する明るさのレベル（上記の例では「レベル９」）に調節される。また、光源制御部２１ａは、ステップＳ２４で読み出した明るさレベル情報を新たな光源情報として更新し（ステップＳ２５）、これを光源情報記憶部２２ｄに記憶する。
【０１３３】
つまり、上記の例では、「レベル９」が新たな光源情報として更新され、これが光源情報記憶部２２ｅに記憶される。その後、光源制御部２１ａは、再度、ステップＳ２２に戻り、リモコン装置１０からの赤外線信号の受信を待機する待機状態となる。
【０１３４】
一方、ステップＳ２４において、光源制御部２１ａによって、レベル値が互いに一致していると判別された場合は（ステップＳ２４；ＹＥＳ）、光源２４の明るさを調節する必要はないため、再度、ステップＳ２２に戻り、リモコン装置１０からの赤外線信号の受信を待機する待機状態となる。
【０１３５】
このようにして、光源制御部２１ａによって、上記ステップＳ２１乃至Ｓ２６の処理が繰り返し行われる。例えば、図１３に示すように、リモコン装置１０からは、所定の周期で所定の回数連続して、同じビットデータを含んだ赤外線信号が送信されている。そのため、光源制御部２１ａは、同じビットデータを含んだ赤外線信号を受信している間は、光源２４の明るさを調節せず、異なるビットデータを含んだ赤外線信号を受信したときにのみ、光源２４の明るさを調節する制御を行う。
【０１３６】
例えば、リモコン装置１０のダウン調光ボタンが単発的に押される等、ダウン調光ボタンが押されてから一定時間（最初に読み出したビットデータを含んだ赤外線信号が連続して送信される時間）が経過する前に、ダウン調光ボタンの押し下げが終了した場合は、最初の光源２４の明るさが「レベル１」でない限り、照明装置２０の光源２４の明るさのレベルは１段階下げられる。つまり、この場合、照明装置２０の段階調光が実質的に行われる。
【０１３７】
一方、ダウン調光ボタンが押されてから一定時間以上、連続してダウン調光ボタンが押し続けられている場合は、光源２４の明るさが「レベル１」とならない限り、照明装置２０の光源２４の明るさのレベルは、一定時間（同じビットデータを含んだ赤外線信号が連続して送信される時間）毎に下げられる。つまり、この場合、照明装置２０の連続調光が実質的に行われる。
【０１３８】
以上説明したように、本実施形態によれば、照明装置２０の光源２４の明るさのレベルに対応する数字や図形等の画像を、リモコン装置１０の表示部１４の画面に表示することができるので、ユーザは、照明装置２０の光源の明るさのレベルを視認（客観的に把握）しながら、ユーザにとってより快適に、照明装置２０の光源の明るさの調節を行うことができる。
【０１３９】
また、照明装置２０の制御情報記憶部２２ｄには、図８に示した制御情報の代わりに、図１４に示す制御情報を記憶しても良い。この制御情報は、図示するように、明るさレベル情報記憶部２２ｂに記憶された複数の明るさレベル情報のそれぞれに、光源２４の制御に用いられる複数の制御データが対応付けられている。
【０１４０】
この場合、光源制御部２１ａは、リモコン装置１０から受信した赤外線信号を基に明るさレベル情報記憶部２２ｂから読み出した明るさレベル情報（レベル値）と、光源情報（レベル値）とが一致しているか否かを判別する（ステップＳ２４）。光源制御部２１ａは、レベル値が互いに一致していないと判別した場合に（ステップＳ２４；ＹＥＳ）、読み出した明るさレベル情報に対応付けられた制御データを上記の制御情報記憶部２２ｄから読み出す。
【０１４１】
例えば、照明装置２０が受信した赤外線信号に「ビットデータ９」が含まれていた場合、ビットデータ９に対応する「レベル９」が読み出される。先に読み出された光源情報が「レベル１０」だったとき、レベル値は互いに一致していないので、この場合、光源制御部２１ａは、「レベル９」に対応付けられた「制御データ９」を制御情報記憶部２２ｄから読み出す。
【０１４２】
また、光源制御部２１ａは、この制御データを用いて、光源の明るさを複数のステップ（例えばレベル毎に８０ステップ）で連続的に変化させても良い。
【０１４３】
また、リモコン装置１０の出力情報記憶部１２ｄに記憶される出力情報として画像データを用いたが、その他の情報を用いても良い。その他の情報には、例えば、音声データがある。この場合、出力情報記憶部１２ｄには、複数のレベル値のそれぞれに対応する複数の音声データが記憶される。
【０１４４】
例えば、音声データは、レベル値に対応する音声が用いられる。具体的には、レベル値が「１０」である明るさレベル情報には、音声「１０」を発する音声データが対応付けられる。この場合、音声データの出力は、リモコン装置１０に備えられた発音部を介して出力される。なお、出力情報は、上記画像データ及び音声データを組み合わせて用いても良い。
【０１４５】
また、リモコン装置１０の光源情報記憶部１２ｅに記憶された光源情報は、リモコン装置１０の操作部１３を構成する全灯ボタン及び消灯ボタンのそれぞれが操作された場合にも更新される。
【０１４６】
例えば、リモコン装置１０の明るさレベル情報読み出し部１１ａは、全灯ボタン及び消灯ボタンのそれぞれの操作信号に基づいて、光源情報記憶部１２ｅに記憶された光源情報を更新する。
【０１４７】
具体的には、全灯ボタンが操作された場合、明るさレベル情報読み出し部１１ａは、明るさのレベルが「レベル１０」の明るさレベル情報を光源情報記憶部１２ｅに記憶する。
【０１４８】
一方、消灯ボタンが操作された場合、明るさレベル情報読み出し部１１ａは、明るさのレベルが「レベル１」の明るさレベル情報を光源情報記憶部１２ｅに記憶する。
【０１４９】
これと同様に、照明装置２０の光源情報記憶部２２ｅに記憶された光源情報も、リモコン装置１０の操作部１３を構成する全灯ボタン及び消灯ボタンのそれぞれが操作された場合にも更新される。
【０１５０】
例えば、光源制御部２１ａは、リモコン装置１０から受信した赤外線信号に含まれるビットデータ等に基づいて、光源２４を制御する。光源制御部２１ａは、光源２４を１００％の明るさで点灯させるように制御した場合、光源２４の明るさのレベルの最大値「レベル１０」を新たな光源情報として更新し、これを光源情報記憶部２２ｄに記憶する。
【０１５１】
一方、光源制御部２１ａは、光源２４を消灯させるように制御した場合、光源２４の明るさのレベルの最小値「レベル１」を新たな光源情報として更新し、これを光源情報記憶部２２ｄに記憶する。
【０１５２】
また、照明システム１には、さらに、調光機能を有する壁スイッチを備えても良い。壁スイッチを用いて照明装置２０が調光された場合、照明装置２０の光源情報記憶部２２ｄに記憶された光源情報は更新され、リモコン装置１０の光源情報記憶部１２ｄに記憶された光源情報との間で一致しなくなる。
【０１５３】
そこで、照明システム１に、調光機能を有する壁スイッチを用いる場合、照明装置２０の光源制御部２１ａが、更新した光源情報を含む信号をリモコン装置１０に送信するように制御し、かつ、リモコン装置１０の明るさレベル情報読み出し部１１ａが、照明装置２０から光源情報を含む信号を受信する、ように構成してもよい。
【０１５４】
このような壁スイッチを用いて照明装置２０が調光された場合、リモコン装置１０の受信部は、照明装置２０から更新された光源情報を含む信号を受信する。明るさレベル情報読み出し部１１ａは、受信部が受信した信号に含まれる光源情報を新たな光源情報として光源情報記憶部１２ｅに格納する。このように、壁スイッチを用いて照明装置２０が調光された場合でも、リモコン装置１０の光源情報記憶部１２ｅに記憶された光源情報を、照明装置２０の光源情報記憶部２２ｄに記憶された光源情報と一致させることができる。
【０１５５】
また、照明システム１に、調光機能を有する壁スイッチを用いる場合、壁スイッチから送信された送信情報（ビットデータ）を含んだ赤外線信号を、リモコン装置１０及び照明装置２０の両方で受信できるように構成しても良い。
【０１５６】
このような壁スイッチを用いて照明装置２０が調光される場合、リモコン装置１０の受信部は、壁スイッチから赤外線信号を受信する。明るさレベル情報読み出し部１１ａは、受信部が受信した赤外線信号に含まれた送信情報（ビットデータ）に対応する明るさレベル情報を新たな光源情報として光源情報記憶部１２ｅを更新する。このように、壁スイッチを用いて照明装置２０が調光された場合でも、リモコン装置１０の光源情報記憶部１２ｅに記憶された光源情報を、照明装置２０の光源情報記憶部２２ｄに記憶された光源情報と一致させることができる。
【０１５７】
なお、上記実施形態では、照明装置２０を家屋等に設置される照明用機器として説明したが、本発明はこれに限定されるものではない。本発明に係る照明装置は、光源の明るさを調節できる機能を備えた装置であれば適宜に適用できる。
【０１５８】
例えば、他の照明装置としては、デジタルテレビ受像機や携帯機器（携帯電話、PDA、ポータブルナビ、携帯ゲーム機等）のバックライトの明るさを調節するバックライト照明装置がある。この場合、リモコン装置は、バックライト照明用のリモコン装置として適用できる。
【０１５９】
なお、本発明に係るリモコン装置及び照明装置は、それぞれ、通常のコンピュータにより実現できる。この場合、上記の実施形態で説明した、信号送信プログラム及び調光プログラムは、それぞれ、コンピュータにより実行される。また、コンピュータは、信号送信プログラム及び調光プログラムに従って、それぞれ、上記の実施形態で説明した動作を行う。
【０１６０】
また、信号送信プログラム及び調光プログラムは、それぞれ、持ち運び可能な記録媒体等に記録されたものでもよい。持ち運び可能な記録媒体には、例えば、ＣＤ−ＲＯＭ（Compact Disk Read Only Memory）等がある。
【０１６１】
また、信号送信プログラム及び調光プログラムは、それぞれ、持ち運び可能な記録媒体から各種読取装置を介して、対応するリモコン装置及び照明装置にインストールされたものでも良い。さらに、信号送信プログラム及び調光プログラムは、それぞれ、インターネット等を介して、対応するリモコン装置または照明装置にダウンロード及びインストールされたものでもよい。また、信号送信プログラム及び調光プログラムは、それぞれ、対応するリモコン装置または照明装置と通信可能なサーバ等の記憶装置に格納されたものでも良い。
【０１６２】
以上、本発明の好ましい実施例について詳述したが、本発明は係る特定の実施例に限定されるものではなく、特許請求の範囲に記載された本発明の要旨の範囲内において、種々の変形、変更が可能である。また、上述した実施形態は、本発明を説明するためのものであり、本発明の範囲を限定するものではない。すなわち、本発明の範囲は、実施形態ではなく、請求の範囲によって示される。そして、請求の範囲内及びそれと同等の説明の意義の範囲内で施される様々な変形が、本発明の範囲内とみなされる。
【０１６３】
また、上記の実施形態の一部又は全部は、以下の付記のようにも記載されうるが、以下には限られない。
【０１６４】
（付記１）
照明装置の光源の明るさと、該明るさで発光するように光源を制御するための送信情報と、該明るさを示す出力情報と、を対応付けて記憶する記憶手段と、
ユーザの操作を受け付ける操作受付手段と、
前記操作受付手段が受け付けた操作に対応する明るさを特定し、特定した明るさに対応する送信情報と出力情報とを前記記憶手段から読み出す読み出し手段と、
前記読み出し手段が読み出した前記送信情報を送信する送信手段と、
前記読み出し手段が読み出した前記出力情報を出力する出力手段と、
を備えることを特徴とするリモコン装置。
【０１６５】
（付記２）
前記送信手段は、前記操作受付手段がユーザの操作を受け付けている間、前記送信情報を複数回送信する、
ことを特徴とする付記１に記載のリモコン装置。
【０１６６】
（付記３）
前記読み出し手段は、前記操作受付手段がユーザの操作を受け付けている間、変更される光源の明るさを順次特定し、特定した明るさに対応する送信情報と出力情報とを読み出し、
前記送信手段は、前記読み出し手段によって新たに読み出された前記送信情報を送信し、
前記出力手段は、前記読み出し手段によって新たに読み出された前記出力情報を出力する、
ことを特徴とする付記１又は２に記載のリモコン装置。
【０１６７】
（付記４）
前記明るさを表す光源情報を記憶する光源情報記憶手段をさらに備え、
前記読み出し手段は、前記操作受付手段が受け付けた操作に応答して、前記光源情報記憶手段に記憶されている前記光源情報により特定される明るさと所定の関係にある明るさに対応する送信情報と出力情報とを前記記憶手段から読み出す、
ことを特徴とする付記１、２又は３に記載のリモコン装置。
【０１６８】
（付記５）
前記操作受付手段による受付が終了したことに応答して、前記読み出し手段が最後に特定した明るさを表す情報を前記光源情報として前記光源情報記憶手段に記憶する、
ことを特徴とする付記４に記載のリモコン装置。
【０１６９】
（付記６）
前記明るさは、一定の幅を有する範囲で表される、
ことを特徴とする付記１乃至５の何れか１つに記載のリモコン装置。
【０１７０】
（付記７）
前記明るさは、最大発光強度に対する発光強度の割合で表される、
ことを特徴とする付記１乃至６の何れか１つに記載のリモコン装置。
【０１７１】
（付記８）
照明装置の光源の明るさを表す明るさ情報が複数記憶された明るさ情報記憶手段と、
前記明るさ情報記憶手段に記憶された前記複数の明るさ情報のそれぞれに対応し、かつ、送信用の情報である複数の送信情報が記憶された送信情報記憶手段と、
前記送信情報を含む信号をリモコン装置から受信する受信手段と、
前記受信手段が受信した信号に含まれる送信情報と一致する送信情報を前記送信情報記憶手段から読み出し、読み出した送信情報に対応する明るさ情報を前記明るさ情報記憶手段から読み出し、読み出した明るさ情報を基に光源の明るさを調節する調節手段と、
を備えることを特徴とする照明装置。
【０１７２】
（付記９）
前記明るさを表す光源情報を記憶する光源情報記憶手段と、
明るさの変化量と前記光源の制御に用いられる制御データとが互いに対応付けられて記憶された第１の制御情報記憶手段と、をさらに備え、
前記調節手段は、前記明るさ情報記憶手段から読み出した前記明るさ情報により表される明るさと、前記光源情報記憶手段に記憶された前記光源情報により表される前記明るさとが一致しているか否かを判別し、一致していないと判別した場合に、前記明るさ情報と前記光源情報との間の明るさの変化量を求め、求めた前記明るさの変化量に対応付けられた前記制御データを前記第１の制御情報記憶手段から読み出し、読み出した前記制御データを用いて前記光源の明るさを調節する、
ことを特徴とする付記８に記載の照明装置。
【０１７３】
（付記１０）
前記明るさを表す光源情報が記憶された光源情報記憶手段と、
前記明るさ情報記憶手段に記憶された前記複数の明るさ情報のそれぞれに対応する前記光源の制御に用いられる複数の制御データが記憶された第２の制御情報記憶手段と、をさらに備え、
前記調節手段は、前記明るさ情報記憶手段から読み出した前記明るさ情報に対応付けられた前記制御データを前記第２の制御情報記憶手段から読み出し、読み出した前記制御データを用いて、前記光源の明るさを調節する、
ことを特徴とする付記８に記載の照明装置。
【０１７４】
（付記１１）
前記調節手段は、前記明るさレベル情報により表される明るさと前記光源情報により表される前記光源の明るさとが一致していないと判別した場合に、前記光源情報により表される前記光源の明るさを前記明るさ情報により表される明るさに更新する、
ことを特徴とする付記９又は１０に記載の照明装置。
【０１７５】
（付記１２）
照明装置と、前記照明装置の光源の明るさを遠隔操作によって調節するリモコン装置とを備える照明システムであって、
前記リモコン装置は、
前記照明装置の光源の明るさと、該明るさで発光するように光源を制御するための送信情報と、該明るさを示す出力情報と、を対応付けて記憶する記憶手段と、
ユーザの操作を受け付ける操作受付手段と、
前記操作受付手段が受け付けた操作に対応する明るさを特定し、特定した明るさに対応する送信情報と出力情報とを前記記憶手段から読み出す読み出し手段と、
前記読み出し手段が読み出した前記送信情報を送信する送信手段と、
前記読み出し手段が読み出した前記出力情報を出力する出力手段と、を備え、
前記照明装置は、
前記照明装置の光源の明るさを表す明るさ情報が複数記憶された明るさ情報記憶手段と、
前記明るさ情報記憶手段に記憶された前記複数の明るさ情報のそれぞれに対応し、かつ、送信用の情報である複数の送信情報が記憶された送信情報記憶手段と、
前記送信情報を含む信号をリモコン装置から受信する第１の受信手段と、
前記第１の受信手段が受信した信号に含まれる送信情報と一致する送信情報を前記送信情報記憶手段から読み出し、読み出した送信情報に対応する明るさ情報を前記明るさ情報記憶手段から読み出し、読み出した明るさ情報を基に光源の明るさを調節する調節手段と、を備える、
ことを特徴とする照明システム。
【０１７６】
（付記１３）
前記リモコン装置を複数備え、該リモコン装置は、それぞれ、
前記光源の明るさを表す光源情報を記憶する光源情報記憶手段と、
前記送信情報を受信する第２の受信手段と、
前記第２の受信手段が受信した前記送信情報に基づいて、前記光源情報記憶手段に記憶されている光源情報を更新する更新手段と、をさらに備える、
ことを特徴とする付記１２に記載の照明システム。
【０１７７】
（付記１４）
照明装置の光源の明るさと、該明るさで発光するように光源を制御するための送信情報と、該明るさを示す出力情報と、を対応付けて記憶する記憶部を用いて、
ユーザの操作を受け付ける操作受付ステップと、
前記操作受付ステップで受け付けられた操作に対応する明るさを特定し、特定した明るさに対応する送信情報と出力情報とを前記記憶部から読み出す読み出しステップと、
前記読み出しステップで読み出された前記送信情報を送信する送信ステップと、
前記読み出しステップで読み出された前記出力情報を出力する出力ステップと、
を有することを特徴とする信号送信方法。
【０１７８】
（付記１５）
照明装置の光源の明るさを表す明るさ情報が複数記憶された明るさ情報記憶部と、前記明るさ情報記憶部に記憶された前記複数の明るさ情報のそれぞれに対応し、かつ、送信用の情報である複数の送信情報が記憶された送信情報記憶部と、を用いて、
前記送信情報を含む信号をリモコン装置から受信する受信ステップと、
前記受信ステップで受信した信号に含まれる送信情報と一致する送信情報を前記送信情報記憶部から読み出し、読み出した送信情報に対応する明るさ情報を前記明るさ情報記憶部から読み出し、読み出した明るさ情報を基に光源の明るさを調節する調節ステップと、
を有することを特徴とする調光方法。
【０１７９】
（付記１６）
照明装置の光源の明るさと、該明るさで発光するように光源を制御するための送信情報と、該明るさを示す出力情報と、を対応付けて記憶する記憶部を用いて、
コンピュータに、
ユーザの操作を受け付ける操作受付手順と、
前記操作受付手順で受け付けられた操作に対応する明るさを特定し、特定した明るさに対応する送信情報と出力情報とを前記記憶部から読み出す読み出し手順と、
前記読み出し手順で読み出された前記送信情報を送信する送信手順と、
前記読み出し手順で読み出された前記出力情報を出力する出力手順と、
を実行させることを特徴とするプログラムを記録したコンピュータ読み取り可能な記録媒体。
【０１８０】
（付記１７）
照明装置の光源の明るさを表す明るさ情報が複数記憶された明るさ情報記憶部と、前記明るさ情報記憶部に記憶された前記複数の明るさ情報のそれぞれに対応し、かつ、送信用の情報である複数の送信情報が記憶された送信情報記憶部と、を用いて、
コンピュータに、
前記送信情報を含む信号をリモコン装置から受信する受信手順と、
前記受信手順で受信した信号に含まれる送信情報と一致する送信情報を前記送信情報記憶部から読み出し、読み出した送信情報に対応する明るさ情報を前記明るさ情報記憶部から読み出し、読み出した明るさ情報を基に光源の明るさを調節する調節手順と、
を実行させることを特徴とするプログラムを記録したコンピュータ読み取り可能な記録媒体。
【０１８１】
本発明は、２０１１年８月３１日に出願された日本国特許出願２０１１−１８９９９８号に基づく。本明細書中に日本国特許出願２０１１−１８９９９８号の明細書、特許請求の範囲、図面全体を参照として取り込むものとする。
【符号の説明】
【０１８２】
１      照明システム
１０    リモコン装置
１１    制御部
１１ａ  明るさレベル情報読み出し部
１１ｂ  送信情報読み出し部
１１ｃ  出力情報読み出し部
１１ｄ  送信制御部
１１ｅ  出力制御部
１２    記憶部
１２ａ  プログラム記憶部
１２ｂ  明るさレベル情報記憶部
１２ｃ  送信情報記憶部
１２ｄ  出力情報記憶部
１２ｅ  光源情報記憶部
１３    操作部
１４    表示部
１５    送信部
２０    照明装置
２１    制御部
２１ａ  光源制御部
２２    記憶部
２２ａ  プログラム記憶部
２２ｂ  明るさレベル情報記憶部
２２ｃ  送信情報記憶部
２２ｄ  光源情報記憶部
２２ｅ  制御情報記憶部
２３    光源駆動部
２４    光源
２５    受信部
【図１】
0005843328.tif 000002
【図２】
0005843328.tif 000003
【図３】
0005843328.tif 000004
【図４】
0005843328.tif 000005
【図５】
0005843328.tif 000006
【図６】
0005843328.tif 000007
【図７】
0005843328.tif 000008
【図８】
0005843328.tif 000009
【図９】
0005843328.tif 000010
【図１０】
0005843328.tif 000011
【図１１】
0005843328.tif 000012
【図１２】
0005843328.tif 000013
【図１３】
0005843328.tif 000014
【図１４】
0005843328.tif 000015